(57)【要約】【課題】受信装置から出力されるコンテンツを、記録装置で正確に記録する。【解決手段】受信装置１のＡＶ信号出力部１４は、受信部１３から入力されるＡＶ信号を後段の装置に出力する。コントロール信号出力部１５は、制御部１２で発生されたコントロール信号を後段の装置に出力する。録画装置２の制御部２２は、受信装置１からのコントロール信号に対応し、記録部２６の記録動作を制御する。コントロール信号出力部１５、コントロール信号入力部２３には、例えば21PIN端子、コントロール端子などを採用できる。ＡＶ信号とコントロール信号の端子を一体化し、例えばHDMI端子などを採用してもよい。本発明は、セットトップボックスとビデオレコーダを組み合わせたシステムに適用できる。【選択図】図２
2008288704.tif 000002
【特許請求の範囲】
【請求項１】
コンテンツを受信する受信装置と、前記受信装置によって受信された前記コンテンツを記録する記録装置とを備える記録システムにおいて、
前記受信装置は、
前記コンテンツを受信する受信手段と、
受信されたコンテンツの記録を指示するユーザの操作を受け付ける受付手段と、
受け付けられた前記操作に対応し、前記記録装置の記録動作を制御するためのコントロール信号を発生する発生手段と、
受信された前記コンテンツおよび発生された前記コントロール信号を前記記録装置に供給する供給手段とを含み、
前記記録装置は、
前記受信装置から供給された前記コンテンツおよび前記コントロール信号を取得する取得手段と、
取得された前記コンテンツを記録する記録手段と、
取得された前記コントロール信号に対応して前記記録手段を制御する制御手段とを含む
記録システム。
【請求項２】
前記供給手段および前記取得手段は、HDMI(High-Definition Multimedia Interface)端子である
請求項１に記載の記録システム。
【請求項３】
コンテンツを受信する受信装置と、前記受信装置によって受信された前記コンテンツを記録する記録装置とを備える記録システムの記録方法において、
前記受信装置によって、
前記コンテンツを受信し、
受信したコンテンツの記録を指示するユーザの操作を受け付け、
受け付けた前記操作に対応し、前記記録装置の記録動作を制御するためのコントロール信号を発生し、
受信した前記コンテンツおよび発生した前記コントロール信号を前記記録装置に供給し、
前記記録装置によって、
前記受信装置から供給された前記コンテンツおよび前記コントロール信号を取得し、
取得した前記コントロール信号に対応し、取得した前記コンテンツを記録する
ステップを含む記録方法。
【請求項４】
コンテンツを受信する受信装置において、
前記コンテンツを受信する受信手段と、
受信されたコンテンツの記録を指示するユーザの操作を受け付ける受付手段と、
受け付けられた前記操作に対応し、記録装置の記録動作を制御するためのコントロール信号を発生する発生手段と、
受信された前記コンテンツおよび発生された前記コントロール信号を前記記録装置に供給する供給手段と
を含む受信装置。
【請求項５】
コンテンツを受信する受信装置の受信方法において、
前記コンテンツを受信し、
受信したコンテンツの記録を指示するユーザの操作を受け付け、
受け付けた前記操作に対応し、記録装置の記録動作を制御するためのコントロール信号を発生し、
受信した前記コンテンツおよび発生した前記コントロール信号を前記記録装置に供給する
ステップを含む受信方法。
【請求項６】
コンテンツを受信する受信装置の制御用のプログラムであって、
前記コンテンツを受信し、
受信したコンテンツの記録を指示するユーザの操作を受け付け、
受け付けた前記操作に対応し、記録装置の記録動作を制御するためのコントロール信号を発生し、
受信した前記コンテンツおよび発生した前記コントロール信号を前記記録装置に供給する
ステップを含む処理を受信装置のコンピュータに実行させるプログラム。
【請求項７】
供給されたコンテンツを記録する記録装置において、
前記コンテンツを受信する受信装置から供給された前記コンテンツおよびコントロール信号を取得する取得手段と、
取得された前記コンテンツを記録する記録手段と、
取得された前記コントロール信号に対応して前記記録手段を制御する制御手段と
を含む記録装置。
【請求項８】
供給されたコンテンツを記録する記録装置の記録方法において、
前記コンテンツを受信する受信装置から供給された前記コンテンツおよびコントロール信号を取得し、
取得した前記コントロール信号に対応し、取得した前記コンテンツを記録する
ステップを含む記録方法。
【請求項９】
供給されたコンテンツを記録する記録装置の制御用のプログラムであって、
前記コンテンツを受信する受信装置から供給された前記コンテンツおよびコントロール信号を取得し、
取得した前記コントロール信号に対応し、取得した前記コンテンツを記録する
ステップを含む処理を記録装置のコンピュータに実行させるプログラム。
【発明の詳細な説明】
【技術分野】
【０００１】
本発明は、記録システム、受信装置および受信方法、記録装置および記録方法、並びにプログラムに関し、例えば、受信装置によって受信した映像コンテンツを記録装置に記録させる場合に用いて好適な記録システム受信装置および受信方法、記録装置および記録方法、並びにプログラムに関する。
【背景技術】
【０００２】
現在、テレビジョン番組に代表される映像コンテンツの供給媒体が多様化している。例えば、テレビジョン番組は地上波放送、衛星放送などの無線媒体、あるいはCATV網などの有線媒体を介して供給されているし、映画などの映像コンテンツをインタネットに代表されるネットワークを介して、オンデマンドに供給する方法もある。
【０００３】
このように、映像コンテンツの供給媒体が多様化することに伴って、当然ながら映像コンテンツの受信装置は各供給媒体に対応するものが出現している。一方、様々な供給媒体によって供給される映像コンテンツを録画したいという視聴者側の要求があるものの、映像コンテンツの記録装置については、受信装置のように新たな供給媒体の出現に伴って必ずしも速やかに出現するわけではない。
【０００４】
したがって、新たな供給媒体によって供給される映像コンテンツを録画する場合、映像コンテンツの受信装置の後段に外部入力端子を備える録画装置を設け、受信装置による受信・出力タイミングと録画装置による録画タイミングとが同期するように制御することになる。
【０００５】
受信・出力タイミングと録画タイミングの同期制御の方法としては、いわゆるシンクロ録画と称する機能が知られている。シンクロ録画とは、録画装置が備える機能であり、外部（いまの場合、受信装置）から映像信号が入力されたことに対応して録画を開始し、映像信号の入力が停止したこと対応して録画を終了するものである（例えば、特許文献１参照）。
【０００６】
【特許文献１】特開２００５−２７７６０４号公報
【発明の開示】
【発明が解決しようとする課題】
【０００７】
ところで、受信装置の後段に録画装置を設ける場合、一般的な配線では、受信装置の出力を録画装置の外部入力端子に入力し、録画装置の出力を映像および音声モニタとしてのテレビジョン受像機に供給することになる。
【０００８】
そして、受信装置で受信された映像コンテンツを録画する場合には、受信装置から映像信号および音声信号を録画装置に入力して記録するようにし、映像コンテンツを録画せず単に視聴するだけの場合には、録画装置内で映像信号および音声信号を通過させてテレビジョン受像機に供給するようにすればよい。
【０００９】
しかしながら、録画装置でシンクロ録画が有効とされていると、受信装置で受信された映像コンテンツを録画せず単に視聴するだけであっても、ユーザの意に反して映像コンテンツが録画されてしまい、実際に映像コンテンツを録画したいときに記録媒体の容量が不足してしまうような不都合が発生し得る。
【００１０】
本発明はこのような状況に鑑みてなされたものであり、受信装置から出力されるコンテンツを記録装置で正確に記録できるようにするものである。
【課題を解決するための手段】
【００１１】
本発明の第１の側面である記録システムは、コンテンツを受信する受信装置と、前記受信装置によって受信された前記コンテンツを記録する記録装置とを備える記録システムにおいて、前記受信装置が、前記コンテンツを受信する受信手段と、受信されたコンテンツの記録を指示するユーザの操作を受け付ける受付手段と、受け付けられた前記操作に対応し、前記記録装置の記録動作を制御するためのコントロール信号を発生する発生手段と、受信された前記コンテンツおよび発生された前記コントロール信号を前記記録装置に供給する供給手段とを含み、前記記録装置が、前記受信装置から供給された前記コンテンツおよび前記コントロール信号を取得する取得手段と、取得された前記コンテンツを記録する記録手段と、取得された前記コントロール信号に対応して前記記録手段を制御する制御手段とを含む。
【００１２】
前記供給手段および前記取得手段は、HDMI端子とすることができる。
【００１３】
本発明の第１の側面である記録方法は、コンテンツを受信する受信装置と、前記受信装置によって受信された前記コンテンツを記録する記録装置とを備える記録システムの記録方法において、前記受信装置によって、前記コンテンツを受信し、受信したコンテンツの記録を指示するユーザの操作を受け付け、受け付けた前記操作に対応し、前記記録装置の記録動作を制御するためのコントロール信号を発生し、受信した前記コンテンツおよび発生した前記コントロール信号を前記記録装置に供給し、前記記録装置によって、前記受信装置から供給された前記コンテンツおよび前記コントロール信号を取得し、取得した前記コントロール信号に対応し、取得した前記コンテンツを記録するステップを含む。
【００１４】
本発明の第１の側面においては、受信装置によって、コンテンツが受信され、受信されたコンテンツの記録を指示するユーザの操作が受け付けられ、受け付けられた操作に対応し、記録装置の記録動作を制御するためのコントロール信号が発生され、受信されたコンテンツおよび発生されたコントロール信号が記録装置に供給される。また、記録装置によって、受信装置から供給されたコンテンツおよびコントロール信号が取得され、取得されたコントロール信号に対応し、取得されたコンテンツが記録される。
【００１５】
本発明の第２の側面である受信装置は、コンテンツを受信する受信装置において、前記コンテンツを受信する受信手段と、受信されたコンテンツの記録を指示するユーザの操作を受け付ける受付手段と、受け付けられた前記操作に対応し、記録装置の記録動作を制御するためのコントロール信号を発生する発生手段と、受信された前記コンテンツおよび発生された前記コントロール信号を前記記録装置に供給する供給手段とを含む。
【００１６】
本発明の第２の側面である受信方法は、コンテンツを受信する受信装置の受信方法において、前記コンテンツを受信し、受信したコンテンツの記録を指示するユーザの操作を受け付け、受け付けた前記操作に対応し、記録装置の記録動作を制御するためのコントロール信号を発生し、受信した前記コンテンツおよび発生した前記コントロール信号を前記記録装置に供給するステップを含む。
【００１７】
本発明の第２の側面であるプログラムは、コンテンツを受信する受信装置の制御用のプログラムであって、前記コンテンツを受信し、受信したコンテンツの記録を指示するユーザの操作を受け付け、受け付けた前記操作に対応し、記録装置の記録動作を制御するためのコントロール信号を発生し、受信した前記コンテンツおよび発生した前記コントロール信号を前記記録装置に供給するステップを含む処理を受信装置のコンピュータに実行させる。
【００１８】
本発明の第２の側面においては、コンテンツが受信され、受信されたコンテンツの記録を指示するユーザの操作が受け付けられ、受け付けられた操作に対応し、記録装置の記録動作を制御するためのコントロール信号が発生され、受信されたコンテンツおよび発生されたコントロール信号が記録装置に供給される。
【００１９】
本発明の第３の側面である記録装置は、供給されたコンテンツを記録する記録装置において、前記コンテンツを受信する受信装置から供給された前記コンテンツおよびコントロール信号を取得する取得手段と、取得された前記コンテンツを記録する記録手段と、取得された前記コントロール信号に対応して前記記録手段を制御する制御手段とを含む。
【００２０】
本発明の第３の側面である記録方法は、供給されたコンテンツを記録する記録装置の記録方法において、前記コンテンツを受信する受信装置から供給された前記コンテンツおよびコントロール信号を取得し、取得した前記コントロール信号に対応し、取得した前記コンテンツを記録するステップを含む。
【００２１】
本発明の第３の側面であるプログラムは、供給されたコンテンツを記録する記録装置の制御用のプログラムであって、前記コンテンツを受信する受信装置から供給された前記コンテンツおよびコントロール信号を取得し、取得した前記コントロール信号に対応し、取得した前記コンテンツを記録するステップを含む処理を記録装置のコンピュータに実行させる。
【００２２】
本発明の第３の側面においては、受信装置から供給されたコンテンツおよびコントロール信号が取得され、取得されたコントロール信号に対応し、取得されたコンテンツが記録される。
【発明の効果】
【００２３】
本発明の第１の側面によれば、受信装置から出力されるコンテンツを、記録装置で正確に記録することができる。
【００２４】
本発明の第２の側面によれば、受信したコンテンツを記録装置に記録させることができる。
【００２５】
本発明の第３の側面によれば、受信装置によって受信されたコンテンツを、受信装置からの制御に基づいて記録することができる。
【発明を実施するための最良の形態】
【００２６】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２７】
本発明の第１の側面である記録システムは、コンテンツを受信する受信装置（例えば、図１の受信装置１）と、前記受信装置によって受信された前記コンテンツを記録する記録装置（例えば、図１の録画装置２）とを備える記録システムにおいて、前記受信装置が、前記コンテンツを受信する受信手段（例えば、図１の受信部１３）と、受信されたコンテンツの記録を指示するユーザの操作を受け付ける受付手段（例えば、図１の操作入力部１１）と、受け付けられた前記操作に対応し、前記記録装置の記録動作を制御するためのコントロール信号を発生する発生手段（例えば、図１の制御部１２）と、受信された前記コンテンツおよび発生された前記コントロール信号を前記記録装置に供給する供給手段（例えば、図１のＡＶ信号出力部１４およびコントロール信号出力部１５）とを含み、前記記録装置が、前記受信装置から供給された前記コンテンツおよび前記コントロール信号を取得する取得手段（例えば、図１のＡＶ信号入力部２４およびコントロール信号入力部２３）と、取得された前記コンテンツを記録する記録手段（例えば、図１の記録部２６）と、取得された前記コントロール信号に対応して前記記録手段を制御する制御手段（例えば、図１の制御部２２）とを含む。
【００２８】
本発明の第１の側面である記録方法は、コンテンツを受信する受信装置と、前記受信装置によって受信された前記コンテンツを記録する記録装置とを備える記録システムの記録方法において、前記受信装置によって、前記コンテンツを受信し（例えば、図３のステップＳ４）、受信したコンテンツの記録を指示するユーザの操作を受け付け（例えば、図３のステップＳ１）、受け付けた前記操作に対応し、前記記録装置の記録動作を制御するためのコントロール信号を発生し（例えば、図３のステップＳ３）、受信した前記コンテンツおよび発生した前記コントロール信号を前記記録装置に供給し（例えば、図３のステップＳ３，Ｓ４）、前記記録装置によって、前記受信装置から供給された前記コンテンツおよび前記コントロール信号を取得し（例えば、図３のステップＳ１２）、取得した前記コントロール信号に対応し、取得した前記コンテンツを記録する（例えば、図３のステップＳ１３）ステップを含む。
【００２９】
以下、本発明を適用した具体的な実施の形態について、図面を参照しながら詳細に説明する。
【００３０】
図１は、本発明を適用した録画システムの構成例を示している。この録画システムは、映像コンテンツを受信する受信装置１、映像コンテンツを録画する録画装置２、および映像コンテンツの映像および音声のモニタとしてのテレビジョン受像機３から構成される。
【００３１】
受信装置１は、テレビジョン放送やネットワークなどを提供媒体とする映像コンテンツを受信し、その結果得られた映像コンテンツに対応する映像信号および音声信号（以下、ＡＶ信号と称する）を録画装置２に出力する。また、受信装置１は、録画装置２の動画動作を制御するためのコントロール信号を発生して録画装置２に出力する。
【００３２】
録画装置２は、受信装置１から入力されるＡＶ信号を、受信装置１から入力されるコントロール信号に対応して記録媒体に記録したり、そのままテレビジョン受像機３に出力したりする。また、録画装置２は、記録媒体に録画した映像コンテンツを再生し、その結果得られるＡＶ信号をテレビジョン受像機３に出力する。
【００３３】
テレビジョン受像機３は、録画装置２から入力されるＡＶ信号の映像を表示するとともに音声を出力する。
【００３４】
図２は、受信装置１および録画装置２の構成例を示している。
【００３５】
受信装置１において、操作入力部１１は、ユーザの選局操作、録画設定操作などを受け付け、受け付けた操作に対応する操作信号を制御部１２に通知する。制御部１２は、操作入力部１１からの操作信号に従って受信装置１の各部を制御する。また、制御部１２は、録画装置２の動画動作を制御するためのコントロール信号を発生する。
【００３６】
受信部１３は、制御部１２からの制御に従い、前段から入力されるテレビジョン放送信号などからユーザの選局に対応する映像コンテンツのＡＶ信号を取得してＡＶ信号出力部１４に出力する。ＡＶ信号出力部１４は、受信部１３から入力されるＡＶ信号を後段の装置（いまの場合、録画装置２）に出力する。コントロール信号出力部１５は、制御部１２で発生されたコントロール信号を後段の装置（いまの場合、録画装置２）に出力する。
【００３７】
なお、コントロール信号出力部１５には、例えば21PIN端子、コントロール端子などを採用することができる。また、コントロール信号出力部１５とＡＶ信号出力部１４を一体化し、例えばHDMI(High-Definition Multimedia Interface)端子などを採用するようしてもよい。
【００３８】
録画装置２において、操作入力部２１は、ユーザの録画操作、再生操作などを受け付け、受け付けた操作に対応する操作信号を制御部２２に通知する。制御部２２は、操作入力部２１からの操作信号に従って録画装置２の各部を制御する。また、制御部２２は、コントロール信号入力部２３から入力される、受信装置１からのコントロール信号に対応し、記録部２６の記録動作を制御する。
【００３９】
コントロール信号入力部２３は、受信装置１から入力されたコントロール信号を制御部２２に出力する。ＡＶ信号入力部２４は、受信装置１から入力されたＡＶ信号を記録部２６およびＡＶ信号出力部２８に出力する。
【００４０】
なお、コントロール信号入力部２３には、受信装置１のコントロール信号出力部１５と同様、例えば21PIN端子、コントロール端子などを採用することができる。また、コントロール信号入力部２３とＡＶ信号入力部２４を一体化し、例えばHDMI端子などを採用するようしてもよい。
【００４１】
受信部２５は、テレビジョン放送番組などを受信し、そのＡＶ信号を記録部２６およびＡＶ信号出力部２８に出力する。記録部２６は、ＡＶ信号入力部２４または受信部２５から入力されるＡＶ信号を所定の方式により符号化、変調して記録媒体（不図示）に記録する。再生部２７は、記録媒体に記録されているＡＶ信号を再生してＡＶ信号出力部２８に出力する。ＡＶ信号出力部２８は、制御部２２からの制御に従い、ＡＶ信号入力部２４、受信部２５、または再生部２７から入力されるＡＶ信号のいずれかを後段（いまの場合、テレビジョン受像機３）に出力する。
【００４２】
次に、受信装置１と録画装置２による映像コンテンツの録画処理について、図３のフローチャートを参照して説明する。
【００４３】
当該処理を実行する一方の受信装置１では、ステップＳ１において、操作入力部１１は、受信する映像コンテンツを選択するユーザの操作を受け付ける。具体的には、例えば電子番組表などGUIを利用して映像コンテンツを選択させたり、日付、時刻、およびチャンネルを指定したりする。さらに、操作入力部１１は、受信する映像コンテンツを単に視聴するのか、または録画するのかを選択する操作を受け付ける。そして操作入力部１１は、受け付けた操作に対応する操作信号を制御部１２に出力する。
【００４４】
ステップＳ２において、制御部１１は、操作入力部１１から入力された操作信号に基づき、ユーザによって選択された映像コンテンツを録画するのか否かを判定する。録画すると判定された場合、処理はステップＳ３に進められる。ステップＳ３において、制御部１１は、録画装置２に対して録画開始を指示するコントロール信号を発生してコントロール信号出力部１５に出力する。コントロール信号出力部１５は、録画開始を指示するコントロール信号を録画装置２に出力する。
【００４５】
ステップＳ４において、受信部１３は、制御部１２の制御に従い、ユーザによって選択された映像コンテンツを受信し、そのＡＶ信号をＡＶ信号出力部１４に出力する。ＡＶ信号出力部１４は、受信部１３から入力されたＡＶ信号を後段の録画装置２に出力し始め、選択された映像コンテンツが終了するまでＡＶ信号の出力を継続する。
【００４６】
なお、ステップＳ２において、録画すると判定されずに単に映像コンテンツを視聴する場合、ステップＳ３はスキップされて処理はステップＳ４に進められる。
【００４７】
他方、録画装置２は、録画開始を指示するコントロール信号が再生装置１から入力されるまで待機している。この待機の間、例えば、ユーザにより選択されたＡＶ信号（ＡＶ信号入力部２４、受信部２５、または再生部２７から入力されるＡＶ信号）を後段のテレビジョン受像機３に出力している。
【００４８】
すなわち、録画装置２では、ステップＳ１１において、ＡＶ信号出力部２８は、ユーザの操作に基づく制御部２２からの制御に従い、ＡＶ信号入力部２４、受信部２５、または再生部２７から入力されるＡＶ信号を後段のテレビジョン受像機３に出力している。ステップＳ１２において、制御部２２は、コントロール信号入力部２３を介して、再生装置１から録画開始を指示するコントロール信号が入力されるまで待機する。そして、コントロール信号が入力されたと判定された場合、処理はステップＳ１３に進められる。
【００４９】
ステップＳ１３において、記録部２６は、制御部２２からの制御に従い、ＡＶ信号入力部２４から入力される受信装置１からのＡＶ信号を、所定の方式で符号化、変調して記録媒体に記録し始め、ステップＳ１４において、ＡＶ信号入力部２４からのＡＶ信号の入力が終了することを監視する。そして、ステップＳ１４において、ＡＶ信号入力部２４からＡＶ信号の入力が終了した場合、記録媒体への記録を終了する。以上で、受信装置１と録画装置２による映像コンテンツの録画処理の説明を終了する。
【００５０】
なお、上述した説明においては、受信装置１からＡＶ信号の入力が終了したことをトリガとして録画装置２による録画を終了するようにしたが、ユーザによって選択された映像コンテンツが終了した時点で、録画装置２の録画を終了するように指示するコントロール信号を受信装置１から録画装置２に出力し、このコントロール信号をトリガとして録画を終了するようにしてもよい。
【００５１】
以上説明したように、本発明を適用した録画システムによれば、映像コンテンツを正確に録画することができる。また、ユーザが意図しない録画により記録媒体が占められてしまうことを抑止できる。
【００５２】
なお、本発明は、映像コンテンツの録画のみならず、楽曲などの音声コンテンツを記録する場合にも適用できる。
【００５３】
上述した一連の処理は、ハードウェアにより実行することもできるし、ソフトウェアにより実行することもできる。
【００５４】
本明細書において、システムとは、複数の装置により構成される装置全体を表すものである。
【００５５】
本発明の実施の形態は、上述した実施の形態に限定されるものではなく、本発明の要旨を逸脱しない範囲において種々の変更が可能である。
【図面の簡単な説明】
【００５６】
【図１】本発明を適用した録画システムの概要を示す図である。
【図２】本発明を適用した受信装置および録画装置の構成例を示すブロック図である。
【図３】本発明を適用した受信装置および録画装置の動作を説明するフローチャートである。
【符号の説明】
【００５７】
１  受信装置，  ２  録画装置，  ３  テレビジョン受像機，  １１  操作入力部，  １２  受信部，  １３  制御部，  １４  ＡＶ信号出力部，  １５  コントロール信号出力部，  ２１  操作入力部，  ２２  制御部，  ２３  コントロール信号入力部，  ２４  ＡＶ信号入力部，  ２５  受信部，  ２６  記録部，  ２７  再生部，  ２８  ＡＶ信号出力部
【図１】
2008288704.tif 000003
【図２】
2008288704.tif 000004
【図３】
2008288704.tif 000005